(57)【要約】【課題】育苗ポットを立体的に陳列できるようにすること。【解決手段】育苗ポット用トレイ１１，１２，１３の基枠１０には、育苗ポット５１を立てた状態で収容するためのポット収容部１７が複数配列されている。前記ポット収容部１７の上縁には、他の育苗ポット用トレイ１１，１２，１３の前記ポット収容部１７の下端を掛け止めするための掛け止め部３３が設けられている。前記基枠１０は、外枠１４と、その外枠１４の内側に縦横に設けられた内枠１５，１６とによって構成されるとともに、前記外枠１４と内枠１５，１６との間及び内枠１５，１６間に前記ポット収容部１７が碁盤目状に配列され、前記掛け止め部３３が前記内枠１５，１６の上縁に形成される。【選択図】図１
2018068127.tif 000002
【特許請求の範囲】
【請求項１】
基枠に、育苗ポットを立てた状態で収容するためのポット収容部を複数配列した育苗ポット用トレイにおいて、
前記ポット収容部の上縁には、他の育苗ポット用トレイの前記ポット収容部の下端を掛け止めするための掛け止め部を設けた育苗ポット用トレイ。
【請求項２】
前記基枠を、外枠と、その外枠の内側に縦横に設けられた内枠とによって構成するとともに、前記外枠と内枠との間及び内枠間にポット収容部を碁盤目状に配列するとともに、前記掛け止め部を内枠の上縁に形成した請求項１に記載の育苗ポット用トレイ。
【請求項３】
前記掛け止め部を前記内枠の上縁の掛け止め部以外の部分と同じ高さに形成した請求項２に記載の育苗ポット用トレイ。
【請求項４】
前記内枠の上縁の中央部に、前記ポット収容部内の育苗ポットの摘みを許容するための摘み用凹部を形成し、前記摘み用凹部の外側に別の凹部を設け、その摘み用凹部と別の凹部との間に前記掛け止め部を設けた請求項３に記載の育苗ポット用トレイ。
【請求項５】
請求項１〜４のうちのいずれか一項に記載の育苗ポット用トレイであって、前記ポット収容部の数が異なる複数種類の育苗ポット用トレイを備えた育苗ポット用トレイセット。
【発明の詳細な説明】
【技術分野】
【０００１】
本発明は、育苗ポットを整列状態で収容するための育苗ポット用トレイ及び複数の育苗ポット用トレイよりなる同トレイのセットに関するものである。
【背景技術】
【０００２】
特許文献１には、花などの苗の育苗ポットを整列状態で収容するための育苗ポット用トレイが開示されている。この特許文献１に開示された育苗ポット用トレイは、複数のポット収容部が枠内に配列されたものである。
【先行技術文献】
【特許文献】
【０００３】
【特許文献１】特開２０１０−１７２２９２号公報
【発明の概要】
【発明が解決しようとする課題】
【０００４】
特許文献１の育苗ポット用トレイは、育苗ポットをポット収容部に収容することにより、育苗ポットを一平面上で整列させて、陳列や保管などに供することはできるが、立体的に整列させることはできない。
【０００５】
本発明の目的は、育苗ポットを立体的に整列させることができる育苗用ポットトレイを提供することにある。
【課題を解決するための手段】
【０００６】
上記の目的を達成するために、本発明の育苗ポット用トレイにおいては、基枠に、育苗ポットを立てた状態で収容するためのポット収容部を複数配列した育苗ポット用トレイにおいて、前記ポット収容部の上縁には、他の育苗ポット用トレイの前記ポット収容部の下端を掛け止めするための掛け止め部を設けたことを特徴とする。
【０００７】
以上の構成においては、上側の育苗ポット用トレイのポット収容部の下端を下側の育苗ポット用トレイの掛け止め部に掛け止めすることにより、大きさの異なるトレイを積層状態に保持させることができて、そのトレイに育苗ポットを立体的に見栄えよく陳列できる。
【０００８】
また、本発明の育苗ポット用トレイセットにおいては、前記ポット収容部の数が異なる複数種類の育苗ポット用トレイよりなることを特徴とする。
以上の構成においては、育苗ポットを雛壇状をなすようにさらに見栄えよく陳列できる。
【発明の効果】
【０００９】
本発明によれば、育苗ポットを立体的に陳列できるという効果を発揮する。
【図面の簡単な説明】
【００１０】
【図１】育苗ポット用トレイセットの使用状態を示す斜視図。
【図２】育苗ポット用トレイセットの分解斜視図。
【図３】掛け止め部の部分を示す一部斜視図。
【図４】掛け止め部の部分を示す一部断面図。
【図５】掛け止め部の部分を示す一部断面図。
【発明を実施するための形態】
【００１１】
以下、本発明を具体化した実施形態を図面に基づいて説明する。
本実施形態においては、図１及び図２に示すように、平面四角形をなし、大きさの異なる合成樹脂製の３種の育苗ポット用トレイ（以下、単にトレイという）１１，１２，１３が用意されている。これらのトレイ１１，１２，１３は、対向する２辺の長さが等しいとともに、他の対向する２辺の長さがそれぞれ異なる。
【００１２】
各トレイ１１，１２，１３は、平面四角形の外枠１４と、その外枠１４の内部において縦横に架設された内枠１５，１６とを備えている。この外枠１４及び内枠１５，１６により、各トレイ１１，１２，１３の基枠１０が構成されている。そして、外枠１４と内枠１５，１６との間及び各内枠１５，１６間において、ポット収容部１７が平面碁盤目状に配列されている。このポット収容部１７は輪郭が四角錐台状をなし、下方に向かって窄まる形状である。このため、各トレイ１１，１２，１３を重ねた状態で上下のポット収容部１７を嵌合状態にすれば、トレイ１１，１２，１３全体を扁平な嵩張らない状態にできる。
【００１３】
そして、各トレイ１１，１２，１３はポット収容部１７の数が異なり、その結果、各トレイ１１，１２，１３の大きさが異なる。ただし、前記のように各トレイ１１，１２，１３の対向する２辺は、等しい長さに形成されている。各ポット収容部１７は、それぞれ下方へ垂下された４枚の縦板部１８を備え、縦板部１８の下端間には、四角形状の外片１９と、互いに交差する受け片２０とを備えている。そして、このポット収容部１７内に育苗ポット５１を収容できるようになっている。
【００１４】
前記各ポット収容部１７において、内枠１５，１６の長さ方向の中央部には、摘み用凹部３１が形成されており、この摘み用凹部３１の部分においてポット収容部１７に収容された育苗ポット５１の人の指による摘みが許容され、ポット収容部１７に収容された育苗ポット５１を摘んで取り上げたり、ポット収容部１７に収容したりすることができる。
【００１５】
図３〜図５に示すように、前記摘み用凹部３１の両側において、内枠１５，１６の上縁には、外側凹部３２が形成され、この外側凹部３２と摘み用凹部３１との間には、掛け止め部３３が形成されている。掛け止め部３３の高さは、内枠１５，１６の掛け止め部３３以外の部分の上縁の高さと同じである。
【００１６】
次に、以上のように構成されたトレイ１１，１２，１３に作用について説明する。
育苗ポット５１の植物を平面的に陳列する場合は、育苗ポット５１を後述の場合とは異なり、積層させることなく、トレイ１１，１２，１３のポット収容部１７に収容すればよい。
【００１７】
図１に示すように、育苗ポット５１の植物を立体的に陳列する場合は、トレイ１１，１２，１３を大きいものを下にして重ねる。このとき、上側のトレイ１２，１３を下側のトレイ１１，１２に対して少しずらして、下側のトレイ１１，１２の掛け止め部３３に上側のトレイ１２，１３のポット収容部１７における受け片２０の内側縁を掛け止める。
【００１８】
このようにすれば、図３〜図５に示すように、上側のトレイ１２，１３のポット収容部１７が下側のトレイ１１，１２のポット収容部１７の内枠１５または１６上に、上側のトレイ１２，１３のポット収容部１７の内枠１５または１６が載置されて、その状態で保持される。従って、トレイ１１，１２，１３が３段重ねの育苗ポット用トレイセットになる。このとき、図１に示すように、トレイ１１，１２，１３の一辺を合致させれば、それらの反対側の辺において雛壇状になる。従って、各トレイ１１，１２，１３のポット収容部に育苗ポット５１を収容すれば、育苗ポット５１を立体的に見栄えよく陳列することができる。なお、トレイ１１，１２，１３の積み重ねは、図１のように、ひとつの辺を他のトレイ１１，１２，１３の長さの等しい辺と一致させる必要はなく、ポット収容部１７の下端を内枠１５または１６の掛け止め部３３に掛け止めすれば、さまざまな向き及び位置関係で行えばよい。
【００１９】
従って、本実施形態においては、以下の効果がある。
（１）掛け止め部３３とポット収容部１７の受け片２０との係合により、大きさの異なるトレイ１１，１２，１３を積層状態に保持させることができて、そのトレイ１１，１２，１３に育苗ポット５１を立体的に見栄えよく陳列できる。
【００２０】
（２）育苗ポット用トレイのセットは、ポット収容部１７の数が異なるトレイ１１，１２，１３が組み合わされているため、トレイ１１，１２，１３を雛壇状をなすように積層でき、育苗ポット５１を立体的にさらに見栄え良く陳列できる。
【００２１】
（３）トレイ１１，１２，１３を積層状態に保持するための掛け止め部３３は、ポット収容部１７の内枠１６に外側凹部３２を設けただけで形成されるため、部品点数が増えることはなく、構成が簡単であって、トレイ１１，１２，１３の成形は容易である。
【００２２】
（４）掛け止め部３３が摘み用凹部３１と、外側凹部３２との間に形成されているため、言い換えれば、摘み用凹部３１を利用して形成されているため、外側凹部３２を形成するのみで、掛け止め部３３を形成することができる。
【００２３】
（５）掛け止め部３３が内枠１５、１６の上縁において、他の部分と同じ高さに形成されているため、掛け止め部３３が邪魔になることを回避できる。
本発明は、前記実施形態に限定されるものではなく、以下のような態様で具体化してもよい。
【００２４】
・基枠１０を板状のものにより構成し、掛け止め部３３をポット収容部１７の縁部に形成すること。
・図３に２点鎖線で示すように、掛け止め部３３を内枠１５，１６の上縁から上方に突出させたり、内枠１５，１６の長さ方向の中央部に設けたりすること。
【００２５】
・前記実施形態では、各トレイ１１，１２，１３に長さが等しい一対の辺を対向状に形成したが、各トレイ１１，１２，１３の各辺の長さを異ならせること。
・前記実施形態においては、ポット収容部１７の底部の受け片２０を交差させて構成したが、ポット収容部１７の底部を格子状にしたり、小孔が多数形成された板状にしたり、簀子状にしたりなど、適宜変更すること。
【符号の説明】
【００２６】
１０…基枠、１１…育苗ポット用トレイ、１２…育苗ポット用トレイ、１３…育苗ポット用トレイ、１４…外枠、１５…内枠、１６…内枠、１７…ポット収容部、３３…掛け止め部。
【図１】
2018068127.tif 000003
【図２】
2018068127.tif 000004
【図３】
2018068127.tif 000005
【図４】
2018068127.tif 000006
【図５】
2018068127.tif 000007